(57)【要約】【課題】より多くの人に使用されることにより、販促品としての宣伝効果が大きいうちわを提供する。【解決手段】半円形状又は半楕円形状の厚紙材１２で形成され、該厚紙材１２の円形状側を扇部１３とし円形状側と反対側を把持部１４とするうちわ１１であって、該把持部１４の両端部には、それぞれレンズ部材１５を有する窓部１６を設け、該窓部１６の近傍には、当該窓部１６を切り離すための切取線１８が設けられている。【選択図】図１
0003171755.tif 000002
【実用新案登録請求の範囲】
【請求項１】
半円形状又は半楕円形状の厚紙材で形成され、該厚紙材の円形状側を扇部とし円形状側と反対側を把持部とするうちわであって、
該把持部の両端部には、それぞれレンズ部材を有する窓部を設け、
該窓部の近傍には、当該窓部を切り離すための切取線が設けられていること
を特徴とするうちわ。
【請求項２】
前記レンズ部材の縁部が前記窓部の近傍に粘着テープ又は粘着剤で取り付けられていること
を特徴とする請求項１に記載のうちわ。
【請求項３】
前記レンズ部材は、一方の窓部がシート状レンズであり、他方の窓部がホログラムレンズであること
を特徴とする請求項１に記載のうちわ。
【考案の詳細な説明】
【技術分野】
【０００１】
本考案は、主に販促品として店頭などで配布されるうちわに関するものであり、更に詳しくは、あおいで風を起こす用途の他に、ルーペ等の機能を付け加えて付加価値を高めたうちわに関するものである。
【背景技術】
【０００２】
従来、店頭や街頭などにおいて販売促進用のプラスチック製又は紙製のうちわが無料で配布されている。このようなうちわの扇部には、宣伝する商品の写真やイラスト、商品の名称、宣伝用のキャッチコピー、あるいは商品の説明などが表示されている。
【０００３】
一方、紙製のうちわを組み立てるうちわ展開シートを、切り取れるようにした厚紙シートが知られている（特許文献１参照）。
【０００４】
この厚紙シートは、新聞の折り込みや雑誌の付録などとして配布する販促品として使用されるものであり、その表面には広告などが印刷されている他に、展開シートを切り取るための切取線と折り目とが印刷されている。
【０００５】
そして、配布を受けた者は、厚紙シートの切取線に沿って展開シートを切り取ってから、展開シートの折り目に沿って折り畳んで、簡単な紙製のうちわを作ることができる。
【先行技術文献】
【特許文献】
【０００６】
【特許文献１】実用新案登録第３１６３９１０公報
【考案の概要】
【考案が解決しようとする課題】
【０００７】
従来例の販売促進用のうちわにおいては、あおいで風を起こす用途だけでは製品としての価値が低いので、街頭などでもらってもすぐに捨てられてしまうことが多く、宣伝効果が小さいという問題点を有している。
【０００８】
また、従来例の厚紙シートにおいては、展開シートを切り取ってから、折り目に沿って折り畳んでうちわを組み立てるのは面倒であり、結果的に捨てられてしまうことが多く、宣伝効果が小さいという問題点を有している。
【０００９】
従って、従来例における場合においては、うちわに何らかの機能を付け加えて付加価値を高め、より多くの人に使用されるようにして、商品等の宣伝効果を大きくすることに解決しなければならない課題を有している。
【課題を解決するための手段】
【００１０】
前記従来例の課題を解決するための本考案の要旨は、半円形状又は半楕円形状の厚紙材で形成され、該厚紙材の円形状側を扇部とし円形状側と反対側を把持部とするうちわであって、該把持部の両端部には、それぞれレンズ部材を有する窓部を設け、該窓部の近傍には、当該窓部を切り離すための切取線が設けられていることである。
【００１１】
また、前記レンズ部材の縁部が前記窓部の近傍に粘着テープ又は粘着剤で取り付けられていること、；
前記レンズ部材は、一方の窓部がシート状レンズであり、他方の窓部がホログラムレンズであること、；
を含むものである。
【考案の効果】
【００１２】
本考案に係るうちわによれば、把持部の両端部にそれぞれレンズ部材を有する窓部を設けたので、うちわ本来のあおいで風を起こす用途の他に、ルーペ等の機能が付加される。
従って、販促品として配布される簡易なうちわであっても、付加価値が高くなるので、より多くの人に使用されることとなり、商品等の宣伝効果が大きくなるという優れた効果を奏する。
【００１３】
窓部の近傍には、当該窓部を切り離すための切取線が設けられていることによって、窓部を切り離してレンズ部材を単独で使用することができるという優れた効果を奏する。
【００１４】
レンズ部材は、一方の窓部がシート状レンズであり、他方の窓部がホログラムレンズであることによって、一方はルーペ（拡大鏡）として使用することができる他に、他方のホログラムレンズでは、光源のキラキラとした虹色の光を楽しむことができるという種々の優れた効果を奏する。
【図面の簡単な説明】
【００１５】
【図１】本考案に係るうちわ１１の正面図である。
【考案を実施するための形態】
【００１６】
販促品として配布される簡易なうちわの付加価値を高めて、より多くの人にうちわが使用されるようにして、商品等の宣伝効果を大きくするという目的を達成するために、うちわの把持部の両端部にそれぞれレンズ部材を有する窓部を設けて、ルーペ等の機能を付加することにより実現した。
【００１７】
次に、本考案の実施の形態について図面を参照しながら説明する。まず、図１において、符号１１はうちわを示し、このうちわ１１は、半円形状又は半楕円形状の厚紙材１２で形成され、厚紙材１２の円形状側１２ａを扇部１３とし、円形状側１２ａと反対側（基部側）１２ｂを把持部１４とする。
【００１８】
扇部１３の表面又は裏面には、「夏祭りに便利！！今までにない新商品」、「うちわとレンズ」の文字、使用方法の説明図や、様々なキャッチコピー、絵、図柄、あるいは写真等が描かれる。
【００１９】
把持部１４の両端部には、四角形状の窓部１６が設けられている。窓部１６には、四角形状のレンズ部材１５が取り付けられている。
【００２０】
レンズ部材１５の幅及び高さは、窓部１６の幅及び高さよりもやや大きめに形成されている。このようなレンズ部材１５は、図１に示すように、縁部１５ａが、窓部１６の近傍に沿って粘着テープ１７又は粘着剤で取り付けられている。従って、うちわ１１をあおいでも、扇部１３からレンズ部材１５が脱落することはない。
【００２１】
レンズ部材１５は、一方の窓部１６が例えばフレネルレンズ等のシート状レンズであり、他方の窓部１６が例えばホログラムレンズである。シート状レンズの場合は、ルーペ（拡大鏡）としての機能を備える。また、ホログラムレンズは、平面状シートあるいは凹面状シートに等間隔に多数の平行な溝を刻んだ回折格子であって、光源のキラキラとした虹色の光を楽しむことができる。
【００２２】
厚紙材１２における窓部１６に沿った位置には、当該窓部１６を切り離すための切取線１８が設けられている。この切取線１８に沿って切断すれば、窓部１６を切り離してレンズ部材１５を単独で使用することができる。
【００２３】
このように両側の窓部１６を切り離した場合には、さらに切取線１９に沿って余部２０を切り離して、把持部１４ａの形を使い勝手よく形成することができる。
【００２４】
以上のように構成されるうちわ１１は、扇部１３にレンズ部材１５を有する窓部１６を設けたので、うちわ本来のあおいで風を起こす用途の他に、ルーペ（拡大鏡）としての機能等が付加される。従って、販促品として配布される簡易なうちわの付加価値が高くなるので、より多くの人に使用されることとなり、商品等の宣伝効果が大きくなる。
【産業上の利用可能性】
【００２５】
本考案のうちわ１１は、主に販促品として店頭や街頭などで配布される簡易なうちわの改良に関するものであるが、必ずしも販促品に限定されることははなく、例えば、百貨店や雑貨店等で販売される、ある程度高価格なうちの扇部に、窓部とレンズ部材とを設けてもよいことは勿論である。
【符号の説明】
【００２６】
１１  うちわ
１２  厚紙材
１２ａ  円形状側
１２ｂ  反対側
１３  扇部
１４、１４ａ  把持部
１５  レンズ部材
１５ａ  縁部
１６  窓部
１７  粘着テープ
１８、１９  切取線
２０  余部
0003171755.tif 000003
【手続補正書】
【提出日】平成23年9月9日(2011.9.9)
【手続補正１】
【補正対象書類名】明細書
【補正対象項目名】００１８
【補正方法】変更
【補正の内容】
【００１８】
扇部１３の表面又は裏面には、種々な文言、使用方法の説明図や、様々なキャッチコピー、絵、図柄、あるいは写真等が描かれる。
【手続補正２】
【補正対象書類名】図面
【補正対象項目名】図１
【補正方法】変更
【補正の内容】
【図１】
0003171755.tif 000004